(57)【特許請求の範囲】
【請求項１】
計測機器類を収納するための機器収納部と、計測機器類を保持した状態で前記機器収納部内に前後移動可能に収容される可動フレームとを具備し、可動フレームを引き出した際に前記機器収納部内における可動フレームが押し込まれていた位置に人の進入を許容する作業空間が形成されるようにしたことを特徴とする実験用家具。
【請求項２】
機器収納部が側枠部を有し、その側枠部に前記可動フレームが押し込まれていた位置に形成された作業空間とその側方の空間とを連通させる通路を形成するようにしていることを特徴とする請求項１記載の実験用家具。
【請求項３】
側枠部に、開閉可能に扉が設けてあることを特徴とする請求項２記載の実験用家具。
【請求項４】
機器収納部の前面側に天板を付帯させ、可動フレームを少なくとも天板の上方空間に引き出し可能な位置に配置していることを特徴とする請求項１、２又は３記載の実験用家具。
【請求項５】
可動フレームを機器収納部に、スライドレールを介して吊り下げていることを特徴とする請求項４記載の実験用家具。
【請求項６】
スライドレールが、サスペンションレール機構によるものであることを特徴とする請求項５記載の実験用家具。
【請求項７】
可動フレームの前端側に、前後移動時に天板上に接地する車輪を設けていることを特徴とする請求項５又は６記載の実験用家具。
【発明の詳細な説明】
【０００１】
【発明の属する技術分野】
本発明は、各種の研究、実験等に適した実験用家具に関するものである。
【０００２】
【従来の技術】
例えば、ＩＣチップを始めとするエレクトロニクス部品の検査等を行う際に利用される家具は、床に据え置いたラックの前面側に机を突き合わせて配置し、ラックには各種計測機器類が収容され、机にはＩＣチップを載せる台等が設けられて、着座状態で各種の検査等を行える環境が整えられるのが通例である。
【０００３】
【発明が解決しようとする課題】
ところで、この種の家具では、上述したような計測機器類すなわち計測機器を始め各種電気、電子機器等を使用するのが通例であり、それらの機器類の背面側に大量の配線類が引き回される。そして、機器を新設したり撤去する場合、或いはメンテナンスを行う場合には、その都度家具の背面側に回り込んで配線作業を行う必要があり、このために家具の背面側と壁との間或いは対面配置した家具の背面間に予め人が進入できる程度の作業空間を確保しておくことが不可欠となる。このため、見栄えが悪いだけでなく、この部位がデッドスペースとなって、実験室等の空間利用効率が大巾に低下するという不都合を来たしているのが実情である。
【０００４】
【課題を解決するための手段】
上記の問題点を解消するために、本発明は、家具を壁に突き当てて配置し、或いは家具の背面同士を突き合わせて配置しても、計測機器類の配線作業空間を有効に確保することができる構造を実現することとしている。
【０００５】
【発明の実施の形態】
そのために、本発明の実験用家具は、計測機器類を収納するための機器収納部と、計測機器類を保持した状態で前記機器収納部内に前後移動可能に収容される可動フレームとを具備し、可動フレームを引き出した際に前記機器収納部内における可動フレームが押し込まれていた位置に人の進入を許容する作業空間が形成されるようにしたことを特徴とする。
【０００６】
このような構成のものであれば、可動フレームを引き出した状態で、機器収納部内に形成される作業空間内に人が入って配線作業を行うことができる。このため、機器収納部を壁に突き当てて配置し、或いは機器収納部の背面同士を突き合わせて配置しても、その状態のままで計測機器類の導入や入替え、メンテナンスに伴う配線作業を好適に行うことができる。
【０００７】
作業空間へ適切にアクセスできるようにするためには、機器収納部が側枠部を有し、その側枠部に前記可動フレームが押し込まれていた位置に形成された作業空間とその側方の空間とを連通させる通路を形成するようにしているものが好都合である。
配線作業の便と家具の外観とを有効に両立させるためには、側枠部に、開閉可能に扉を設けておくことが望ましい。
【０００８】
機器収納部の前面側に天板が付帯している場合には、可動フレームを少なくとも天板の上方空間に引き出し可能な位置に配置していることが望ましい。
可動フレームの具体的な支持構造としては、該可動フレームを機器収納部に、スライドレールを介して吊り下げているものが挙げられる。
可動フレームの引出し動作をスムーズにし、引出し量を大きくとれるようにするためには、スライドレールを、サスペンションレール機構によるものとしておくことが有効である。
【０００９】
スライドレールの安定した動作を確保するためには、可動フレームに、前後移動時に天板上に接地する車輪を設けていることが効果的である。
【００１０】
【実施例】
以下、本発明の一実施例を、図１〜図４を参照して説明する。
この実施例の実験用家具は、図１に示すように、実験に必要な計測機器類１を収納するための機器収納部２と、この機器収納部２の前面側に付帯される机３とを具備し、前記機器収納部２内に、計測機器類１を保持した状態で前後移動可能に可動フレーム４を収容するようにしたものである。
【００１１】
具体的に説明すると、機器収納部２は、縦枠材２１及び横枠材２２を「ロ」字形に接合した側枠部２ａを所定距離を隔てて左右に対面配置し、これら側枠部２ａの上端側の前端間及び後端間、中間部の前端間、下端側の後端間をそれぞれ横桟２３、２４、２５によって連結するとともに、前端側の横桟２３、２４間における幅方向を３等分する位置に縦桟２６を配置し、後端側の横桟２３、２５間における幅方向を３等分する位置に縦桟２８を配置した骨格構造をなしている。一対の縦桟２６、２６と上下の横桟２３、２４によって囲まれる部位、及び、縦桟２６、縦枠材２１及び上下の横桟２３、２４によって囲まれる部位は、それぞれ開口部２７ａを形成しており、その開口部２７ａの奥方に位置する機器収納部２の内部を機器収納空間２７としている。上記縦枠材２１や横枠材２２、横桟２３、２４、２５や縦桟２６、２８等には、スチール等の剛性のある素材を使用したアングル材、角パイプ材等が使用される。
【００１２】
一方、机３は、前記機器収納部２と略同一幅寸法を有する天板３１の左右両側部を側板３２により支持してなる自立性のあるもので、側板３２の内法の略全域に亘る下肢空間３３を前方に開放している。
これに対して、可動フレーム４は、図３に示すように、底枠部４１と天枠部４２の各四隅を縦桟４３により連結した骨格構造をなすもので、前記開口部２７ａを介して機器収納空間２７に挿入可能な外形寸法を有している。そして、この可動フレーム４を少なくとも天板３１の上方空間に引き出し可能とすべく、図２及び図３に示すように、その天枠部４２の左右の外壁をサスペンションレール機構式のスライドレール４４を介して機器収納部２の対応位置に前後移動可能に吊り下げて取り付けている。天枠部４２の前壁には、可動フレーム４を引き出し又は押込み操作する際に利用可能な把手４５が設けてある。また、この可動フレーム４の底枠部４１の前端側の下面における左右２箇所には、前後移動時に天板３１上に接地する車輪４６が設けてあり、前後動作をこの車輪４６によって補助するようにしている。
【００１３】
この可動フレーム４の前端側の縦桟４３には、その内面側における前端から若干入り込んだ位置に内方に向けて機器取付用の取付面４３ａが形成してあり、一方の計測機器類１は本体部１１よりも前板１２を若干巾広に設けてあって、計測機器類１を取り付ける際には、左右の取付面４３ａ間に計測機器類１の本体部１１を通過させ、該計測機器類１の前板１１の周縁部を取付面４３ａにねじ止めすると共に、必要に応じて他の部位を可動フレーム４に適宜固定するようにしている。この実施例では、最大５つの計測機器類１を上下方向に密接に配列して可動フレーム４に取り付け可能とされている。
【００１４】
なお、前記機器収納空間２７のうち、可動フレーム４が収容される位置よりも下方空間には、ワゴン５が収納可能とされている。このワゴン５も同様の計測機器類１を収納できるもので、図４に示すように、底枠部５１、天枠部５２及び縦桟５３を連結した骨格構造をなし、前端側の縦桟５３の内方に機器取付用の取付面５４を有していて、可動フレーム４におけると同様にして計測機器類１を取り付けることができるようにしている。このワゴン５は、底枠５１の四隅下面をキャスタ５５に支持されている。
【００１５】
これら可動フレーム４やワゴン５も、スチール等の剛性のある素材を使用したアングル材、角パイプ材等によって構成される。
すなわち、この実施例の実験用家具は、骨格構造をなす機器収納部２が、内部に開放的な機器収納空間２７を形成するものであり、その空間２７の前方は開口２７ａを介して前面側に開放されているため、この機器収納部２内の機器収納空間２７に可動フレーム４を収容するようにしても、可動フレーム４を適宜引き出すことによって、図２に示すようにその機器収納部２内における可動フレーム４が押し込まれていた位置に人の進入を許容する作業空間が形成されることとなる。
【００１６】
このようにして、本実施例の実験用家具は、可動フレーム４を引き出した状態で、機器収納部２内に形成される作業空間内に人が入って配線作業を行うことが可能であり、機器収納部２を壁に突き当てて配置し、或いは機器収納部２の背面同士を突き合わせて配置しても、その状態のままで計測機器類の導入や入替えに伴う配線作業を好適に行うことができる。したがって、室内空間の空間利用効率や見栄えを低下させることなく、必要な作業環境を有効に整えることが可能となる。勿論、ワゴン５を併用している場合には予めワゴン５を引き出しておくことは必要である。
【００１７】
特に、この実施例では、機器収納部２が側枠部２ａを有し、その側枠部２ａに前記可動フレーム４が押し込まれていた位置に形成された作業空間とその側方の空間とを連通させる通路Ｘを形成するようにしている。このため、作業空間へのアクセスを容易にして、配線作業の便をより有効に向上させることができる。
また、機器収納部２の前面側に天板３１を付帯させているが、天板３１の上方空間に引き出せる位置に可動フレーム４を配置しているため、天板３１と干渉することを回避して可動フレーム４の引き出し機能を有効に確保することができる。
【００１８】
更に、可動フレーム４を機器収納部２に、スライドレール４４を介して吊り下げているため、可動フレーム４を天板３１の上方空間に引き出す場合に支持構造が天板３１と干渉する事態を有効に回避することができるだけでなく、スライドレール４４を極力高い位置に配置することで支持構造の存在が作業空間を狭める要因となることも防止することができる。
【００１９】
特に、そのスライドレール４４に、サスペンションレール機構式のものを採用しているため、軽快な操作性を確保すると同時に、引出し量を大きくとって作業空間を広く開放することが可能となる。
しかも、可動フレーム４に、前後移動時に天板上に接地する車輪を設けているため、可動フレーム４を持ち出した状態で比較的不安定となり易いサスペンションレール機構を有効に補助して、レール機構の信頼性と耐久性を有効に向上させることができる。
【００２０】
なお、各部の具体的な構成は、図示実施例のものに限定されるものではなく、本発明の趣旨を逸脱しない範囲で種々変形が可能である。例えば、図５に示すように、側枠部２ａに、開閉可能に扉６を設けておけば、配線作業の便と家具の外観とを有効に両立させることが可能となる。
また、機器収納空間のうち可動フレームと干渉しない適宜位置にコンセントを配置しておくようにすることも有効である。
【００２１】
さらに、上記実施例では、機器収納部に自立性のある机を付帯させているが、機器収納部の枠材の前面側にフック孔が開口している場合には、このフック孔を利用してステーを引っ掛け、そのステーに天板を支持させるようにしてもよい。
さらにまた、上記実施例において、可動フレームが押し込まれている状態でその車輪を隠蔽する位置に化粧カバーを配置しておき、可動フレームを引き出す際にこの化粧カバーを倒して車輪が出てくるように構成することも有効である。
【００２２】
【発明の効果】
本発明は、以上説明したような形態で実施され、以下に記載される効果を奏する。
すなわち、本発明の実験用家具は、計測機器類を可動フレームに設置し、この可動フレームを機器収納部内に前後移動可能に収容するようにしたものであり、可動フレームを引き出した際に、機器収納部内における可動フレームが押し込まれていた位置に作業空間を形成して人が計測機器類の裏側に進入して配線作業を行えるようにしたものである。
【００２３】
このため、機器収納部を壁に突き当てて配置し、或いは機器収納部の背面同士を突き合わせて配置しても、その状態のままで計測機器類の入替えやメンテナンス作業等を好適に行うことができ、室内空間の空間利用効率や見栄えを低下させることなく、必要な作業環境を有効に整えることが可能となる。
特に、機器収納部が側枠部を有し、その側枠部に前記可動フレームが押し込まれていた位置に形成された作業空間とその側方の空間とを連通させる通路を形成するようにしておけば、作業空間へのアクセスを容易にして、配線作業の便をより有効に向上させることができる。
【００２４】
その側枠部に、開閉可能に扉を設けておけば、配線作業の便と家具の外観とを有効に両立させることが可能となる。
また、機器収納部の前面側に天板を付帯させている場合に、少なくとも天板の上方空間に引き出し可能な位置に可動フレームを配置しておけば、天板と干渉することを回避して可動フレームの引き出し機能を有効に確保することができる。
【００２５】
可動フレームの具体的な支持構造として、該可動フレームを機器収納部に、スライドレールを介して吊り下げるようにしておけば、可動フレームを天板の上方空間に引き出す場合に支持構造が天板と干渉する事態を有効に回避することができるだけでなく、スライドレールを極力高い位置に位置づけることで、支持構造の存在が作業空間を狭める要因となることも防止して有効な作業空間を確保することができる。
【００２６】
そのスライドレールに、サスペンションレール機構を採用しておけば、軽快な操作性を確保すると同時に、引出し量を大きくとって作業空間を広く開放することが可能となる。
この場合、可動フレームに、前後移動時に天板上に接地する車輪を設けておけば、可動フレームを持ち出した状態で比較的不安定となり易いサスペンションレール機構を有効に補助して、レール機構の信頼性と耐久性を有効に向上させ、長期に亘って安定した使用状態を確保することができる。
【図面の簡単な説明】
【図１】本発明の一実施例を示す斜視図。
【図２】同実施例における配線作業時の状態を示す斜視図。
【図３】同実施例で用いられる可動フレームを示す斜視図。
【図４】同実施例で用いられるワゴンを示す斜視図。
【図５】本発明の他の実施例を示す図１に対応した斜視図。
【符号の説明】
１…計測機器類
２…機器収納部
２ａ…側枠部
４…可動フレーム
６…扉
３１…天板
４４…スライドレール
４６…車輪
Ｘ…通路
【図１】
0003630048.tif 000002
【図２】
0003630048.tif 000003
【図３】
0003630048.tif 000004
【図４】
0003630048.tif 000005
【図５】
0003630048.tif 000006